(57)【要約】【課題】真に冷却または加温したい体の部位を、効率よく温度調節できる作業用衣服を提供することである。【解決手段】衣服本体１の裏面に複数条で縦方向へ延びる面ファスナ３ａを設け、冷却材を封入した袋体６側に設けた面ファスナとの係合によって、衣服本体１の面ファスナ３ａを設けた裏面の任意の部位に、冷却材を封入した袋体６を装着することにより、真に冷却したい作業者Ａの体の部位を、効率よく温度調節できるようにした。【選択図】図１
2007169858.tif 000002
【特許請求の範囲】
【請求項１】
袋体に封入した冷却材または加温材を衣服本体に装着する作業用衣服において、前記衣服本体の表面または裏面に複数条で延びる面ファスナを設け、前記冷却材または加温材を封入した袋体側に設けた面ファスナとの係合によって、前記衣服本体の面ファスナを設けた表面または裏面の任意の部位に、前記冷却材または加温材を封入した袋体を装着するようにしたことを特徴とする作業用衣服。
【請求項２】
前記袋体に冷却材を封入し、この冷却材をノルマルパラフィンとした請求項１に記載の作業用衣服。
【請求項３】
前記袋体に封入するノルマルパラフィンを、多孔質の粉体に含浸させたものとした請求項２に記載の作業用衣服。
【発明の詳細な説明】
【技術分野】
【０００１】
本発明は、袋体に封入した冷却材または加温材を衣服本体に装着する作業用衣服に関する。
【背景技術】
【０００２】
高温環境での作業に着用される作業用衣服には、袋体に封入した冷却材を衣服本体に装着したものがある（例えば、特許文献１参照）。特許文献１に記載されたものでは、作業者の背中と脇の下に相当する部位で衣服本体に収納ポケットを設け、冷却材を封入した袋体をこれらの収納ポケットに収納して、衣服本体に装着している。
【０００３】
また、冬季の屋外や低温室等の低温環境で作業する場合は、酸化鉄等の加温材を封入した袋体（ほかほかカイロ等と呼ばれる）を作業用衣服のポケットや腹巻等に入れて、体の冷えを防止するようにしている。
【０００４】
【特許文献１】特開２００２−３０９４１４号公報
【発明の開示】
【発明が解決しようとする課題】
【０００５】
特許文献１に記載された冷却材を封入した袋体を作業用衣服の収納ポケットに収納する方法や、加温材を封入した袋体を作業用衣服のポケットや腹巻等に入れる方法は、これらの袋体の作業者の体への装着部位が限定される。このため、真に冷却または加温したい体の部位を、効率よく温度調節できない問題がある。
【０００６】
そこで、本発明の課題は、真に冷却または加温したい体の部位を、効率よく温度調節できる作業用衣服を提供することである。
【課題を解決するための手段】
【０００７】
上記の課題を解決するために、本発明は、袋体に封入した冷却材または加温材を衣服本体に装着する作業用衣服において、前記衣服本体の表面または裏面に複数条で延びる面ファスナを設け、前記冷却材または加温材を封入した袋体側に設けた面ファスナとの係合によって、前記衣服本体の面ファスナを設けた表面または裏面の任意の部位に、前記冷却材または加温材を封入した袋体を装着するようにした構成を採用した。
【０００８】
すなわち、衣服本体の表面または裏面に複数条で延びる面ファスナを設け、冷却材または加温材を封入した袋体側に設けた面ファスナとの係合によって、衣服本体の面ファスナを設けた表面または裏面の任意の部位に、冷却材または加温材を封入した袋体を装着することにより、真に冷却または加温したい体の部位を、効率よく温度調節できるようにした。
【０００９】
前記袋体に冷却材を封入し、この冷却材をノルマルパラフィンとすることにより、高温環境で作業するときの冷却材による冷却温度を、環境温度や作業者の体感温度に応じて調節することができる。袋体に封入するノルマルパラフィンは、ゲル状のもの、多孔質の粉体に含浸させたもの、樹脂カプセルに詰めたもの等とすることができる。
【００１０】
前記ノルマルパラフィンは、直鎖状のパラフィン系炭化水素であり、冷却温度を保持する融点が炭素数によって変化する。例えば、炭素数が１４のものは融点が５．９℃、炭素数が１５のものは融点が９．９℃であり、炭素数が多くなるほど融点が高くなる。したがって、大きな冷却度合いを必要とするほど、炭素数が少ないノルマルパラフィンを用いれば、低い冷却温度に保持することができる。
【００１１】
前記袋体に封入するノルマルパラフィンを、多孔質の粉体に含浸させたものとすることにより、ゲル状のもののように袋体が破れても衣服等を汚す恐れがなく、かつ、樹脂カプセルに詰めたものよりも安価なものとすることができる。なお、ノルマルパラフィンを含浸させる多孔質の粉体としては、パーライト等を用いることができる。
【発明の効果】
【００１２】
本発明の作業用衣服は、衣服本体の表面または裏面に複数条で延びる面ファスナを設け、冷却材または加温材を封入した袋体側に設けた面ファスナとの係合によって、衣服本体の面ファスナを設けた表面または裏面の任意の部位に、冷却材または加温材を封入した袋体を装着するようにしたので、真に冷却または加温したい体の部位を、効率よく温度調節することができる。
【００１３】
前記袋体に冷却材を封入し、この冷却材をノルマルパラフィンとすることにより、高温環境で作業するときの冷却材による冷却温度を、環境温度や作業者の体感温度に応じて調節することができる。
【００１４】
前記袋体に封入するノルマルパラフィンを、多孔質の粉体に含浸させたものとすることにより、ゲル状のもののように袋体が破れても衣服等を汚す恐れがなく、かつ、樹脂カプセルに詰めたものよりも安価なものとすることができる。
【発明を実施するための最良の形態】
【００１５】
以下、図面に基づき、本発明の実施形態を説明する。この作業用衣服は上着の内側に着用するものであり、図１（ａ）、（ｂ）に示すように、メッシュで形成されたチョッキ状の衣服本体１の正面側に開閉用のスライドファスナ２が設けられ、その裏面に複数条で等間隔に縦方向へ延びる面ファスナ３ａが設けられており、後述するように、面ファスナ３ｂが設けられた袋ケース４に収納され、冷却材５を封入した袋体６が、面ファスナ３ａ、３ｂの係合によって、作業者Ａの背中と脇腹部に相当する部位で、それぞれ２つずつ装着されている。背中に相当する部位に装着された各袋体６は縦長の矩形状とされ、脇腹部に相当する部位に装着された各袋体６は正方形状とされている。なお、作業者Ａのウェストに相当する部位には、ウェストを締め付けるバンド７も取り付けられている。
【００１６】
前記冷却材５は、多孔質の粉体であるパーライトにノルマルパラフィンを含浸させたものとされ、図２に示すように、袋体６に封入されている。ノルマルパラフィンは炭素数が１４〜１７程度で融点が体温よりも低いものが封入され、大きな冷却度合いを必要とするほど、炭素数が少なく融点が低いノルマルパラフィンが選択される。冷却材５を封入した袋体６は、ノルマルパラフィンが凝固するまで冷凍室等で冷却されてから使用され、ノルマルパラフィンの融解熱によって、冷却温度をその融点に保持する。
【００１７】
図３（ａ）、（ｂ）、（ｃ）に示すように、前記冷却材５を封入した袋体６は、裏面に複数条の面ファスナ３ｂが、衣服本体１の面ファスナ３ａと同じ間隔で縦向きに設けられた袋ケース４に収納されており、これらの面ファスナ３ａ、３ｂの係合によって、衣服本体１の縦横方向の任意の部位に装着することができる。袋ケース４の上端の開口部には折返し部４ａが設けられ、折返し部４ａに設けられた面ファスナ４ｂによって、袋体６が収納された開口部が閉じられるようになっている。図３は、背中に相当する部位に装着される縦長の矩形状のものを示したが、脇腹部に相当する部位に装着される正方形状のものも同じ構成である。
【００１８】
上述した実施形態では、衣服本体の裏面に複数条の面ファスナを縦向きに等間隔で設け、冷却材を封入した袋体を衣服本体の裏面側に装着したが、面ファスナを衣服本体の表面に設け、袋体を衣服本体の表面側に装着することもできる。また、複数条の面ファスナは縦向きで等間隔なものに限定されることはなく、横向きや斜め向きとしてもよく、その間隔も変化させてもよい。
【００１９】
また、上述した実施形態では、衣服本体をチョッキ状のものとし、冷却材を封入した袋体を装着したが、本発明に係る作業用衣服は、衣服本体を袖付きのものとしてもよく、加温材を封入した袋体を装着することもできる。
【図面の簡単な説明】
【００２０】
【図１】ａは作業用衣服の実施形態を示す正面図、ｂはａの背面図
【図２】図１の冷却材を封入した袋体を示す切欠斜視図
【図３】ａは図２の袋体を収納した袋ケースを示す正面図、ｂはａの背面図、ｃはａの縦断側面図
【符号の説明】
【００２１】
１  衣服本体
２  スライドファスナ
３ａ、３ｂ  面ファスナ
４  袋ケース
４ａ  折返し部
４ｂ  面ファスナ
５  冷却材
６  袋体
７  バンド
【図１】
2007169858.tif 000003
【図２】
2007169858.tif 000004
【図３】
2007169858.tif 000005